(57)【要約】【課題】ワイパーの間欠周期を所望の間隔に設定するワイパー間欠動作制御装置を提供する。【解決手段】ワイパー１の動作を切り替えるワイパー動作切り替えスイッチ５と、ワイパー動作切り替えスイッチ５が間欠動作に切り替えられた際におけるワイパー１の間欠動作の間欠周期を格納する記憶部２と、記憶部２に格納された間欠周期を読み出してワイパー動作切り替えスイッチ５に基づいてワイパー１の動作を制御する制御部３とを備え、制御部３は、ワイパー動作切り替えスイッチ５が所定の状態に所定の時間以上維持された際に出力する信号を第１の信号として検出した後に、停止に切り替わったワイパー動作切り替えスイッチ５の再度の信号を第２の信号として検出し、第２の信号と第１の信号との時間差に応じて間欠周期Ｔ０を記憶部２に格納するように構成されている。【選択図】図２
2012106659.tif 000002
【特許請求の範囲】
【請求項１】
ワイパーの動作を切り替えるワイパー動作切り替えスイッチと、
前記ワイパー動作切り替えスイッチが間欠動作に切り替えられた際における前記ワイパーの間欠動作の間欠周期を格納する記憶部と、
前記記憶部に格納された前記間欠周期を読み出して前記ワイパー動作切り替えスイッチに基づいて前記ワイパーの動作を制御する制御部と
を備え、
前記制御部は、
前記ワイパー動作切り替えスイッチが所定の状態に所定の時間以上維持された際に出力する信号を第１の信号として検出した後に、停止に切り替わった前記ワイパー動作切り替えスイッチの再度の前記信号を第２の信号として検出し、前記第２の信号と前記第１の信号との時間差に応じて前記間欠周期を前記記憶部に格納するように構成されている
ワイパー間欠動作制御装置。
【請求項２】
請求項１に記載のワイパー間欠動作制御装置であって、
更に、音声出力部
を備え、
前記音声出力部は、
前記第１の信号を契機に第１の報知音を鳴らし、前記第２の信号を契機に第２の報知音を鳴らすように構成されている
ワイパー間欠動作制御装置。
【請求項３】
請求項１、又は２に記載のワイパー間欠動作制御装置であって、
更に、前記ワイパーの前記間欠周期を調節するワイパー間欠周期調節スイッチ
を備え、
前記ワイパー間欠周期調節スイッチによって前記ワイパーの前記間欠周期が調節された際には前記間欠周期が前記記憶部から消去されて、前記ワイパー間欠周期調節スイッチの調節位置に従って前記ワイパーの前記間欠動作が制御されるように構成されている
ワイパー間欠動作制御装置。
【請求項４】
請求項１に記載のワイパー間欠動作制御装置であって、
更に、前記ワイパーの前記間欠周期を調節するワイパー間欠周期調節スイッチ
を備え、
前記ワイパー間欠周期調節スイッチによって前記ワイパーの前記間欠周期が調節された際には、前記ワイパー間欠周期調節スイッチの調節位置に従って前記記憶部に格納された前記間欠周期からの延長、又は短縮のなされた新たな間欠周期によって前記ワイパーの前記間欠動作が制御されるように構成されている
ワイパー間欠動作制御装置。
【請求項５】
請求項４に記載のワイパー間欠動作制御装置であって、
更に、音声出力部
を備え、
前記音声出力部は、
前記第１の信号を契機に第１の報知音を鳴らし、前記第２の信号を契機に第２の報知音を鳴らし、前記延長の際に第３の報知音を鳴らし、前記短縮の際に第４の報知音を鳴らすように構成されている
ワイパー間欠動作制御装置。
【請求項６】
請求項１乃至５のいずれか１項に記載のワイパー間欠動作制御装置であって、
前記所定の状態は、
ミスト機構の位置に切り替えられた状態である
ワイパー間欠動作制御装置。
【請求項７】
ワイパー動作切り替えスイッチが所定の状態に所定の時間以上維持された際に出力する信号を第１の信号として検出するステップと、
前記第１の信号を検出した後に、前記停止に切り替わった前記ワイパー動作切り替えスイッチの再度の前記信号を第２の信号として検出するステップと、
前記第２の信号と前記第１の信号との時間差を間欠周期として記憶部に格納するステップと、
前記ワイパー動作切り替えスイッチが間欠動作に切り替えられたことを検出するステップと、
ワイパーの前記間欠動作を前記間欠周期で制御するステップと
を備える
ワイパー間欠動作制御方法。
【請求項８】
請求項７に記載のワイパー間欠動作制御方法であって、
前記第１の信号を契機に時間計測を開始するステップと、
前記時間計測の開始時間を前記記憶部に格納するステップと、
前記第２の信号を契機に前記時間計測を終了するステップと、
前記時間計測の終了時間を前記記憶部に格納するステップと
を更に備える
ワイパー間欠動作制御方法。
【請求項９】
請求項７、又は８に記載の方法をコンピュータに実行させるためのプログラム。
【請求項１０】
請求項９に記載のプログラムを格納する記憶媒体。
【発明の詳細な説明】
【技術分野】
【０００１】
本発明は、車両等に装備されるワイパー（窓ふき器）制御装置に関し、特にその間欠動作制御方法に関する。
【背景技術】
【０００２】
車両等の窓ガラスに付着する雨滴等を払拭するワイパー装置には付着する量の違い等に対応するいくつかの動作方式が選択可能に用意されている。弱い雨、霧雨等のような付着量の少ない場合には一定の間隔をおいてワイパーが動作する間欠動作での払拭が有用である。
【０００３】
図１は、ワイパー間欠動作制御装置の構成を示す概略図である。ワイパー間欠動作制御装置は、ワイパー１と、制御部３と、ワイパー動作切り替えスイッチ５と、ワイパー間欠周期調節スイッチ６とを備えている。ワイパー間欠周期調節スイッチ６には、多段階スイッチやボリュームスイッチが用いられている。ワイパー動作切り替えスイッチ５によって間欠動作に切り替えられ、ワイパー間欠周期調節スイッチ６によって間欠周期を規定値内から調節されることによって一定の間欠動作間隔でのワイパーによる払拭が実現される。しかし、間欠周期の容易で、かつ自在な変更に対する要求は高い。
【０００４】
上の記述に関連して、間欠ワイパが特開２００４−３４５３６９号公報に開示されている。この例では、作動選択装置１からの間欠信号に基づきコントロールユニット２がワイパ駆動用モータ３を間欠作動させているとき、入力装置４から記憶装置５へトリガ信号を送ると、そのトリガ信号が送られる直前のモータ３の作動開始時からトリガ信号までの経過時間信号が記憶装置５から作動選択装置１へ送られ、作動選択装置１が上記経過時間を新たな間欠間隔とする間欠信号をコントロールユニット２へ出力し、それ以後は、新たな間欠間隔でモータ３が間欠作動するように構成されている。
【０００５】
また、特開２００６−３２１３４９号公報には、車両用ワイパ装置が開示されている。これは、ワイパコンビネーションスイッチ７をＩＮＴポジション７ｃにセットすると、間欠時間演算部１１は間欠時間初期値Ｔｏに基づき間欠時間Ｔ１を設定し、この間欠時間Ｔ１でワイパ本体２ａ，２ｂを間欠動作させるようにしている。その際ＭＩＳＴポジション７ｂがＯＮ操作されると、間欠時間演算部１１は間欠時間Ｔ１を短くする方向へ補正し、補正後の間欠時間Ｔ１でワイパ本体２ａ，２ｂを間欠動作させるようにしている。ＭＩＳＴポジション７ｂをＯＮ操作するだけで、間欠時間Ｔ１が調整されるので使い勝手が良いとしている。
【０００６】
また、マイクロコンピューター学習式間歇ワイパーコントロール装置が特開平０６−１９９２０７号公報で開示されている。これは、電源回路（１）、インプットフォトカップリング回路（２）、リセット回路（３）、マイクロコンピューター処理回路（４）、駆動回路（５）を設け、自動車を運転する人が、ワイパースイッチを間歇ワイピングの位置に回してからＯＦＦの位置に戻し、第一回目のワイピング時間および運転する人がワイパースイッチを間歇位置にまわし、第二回ワイピング時間を記憶させてから今回と前回の作動時間間隔を繰り返し反復するようにしている。
【０００７】
また、車両用ワイパ制御装置が特開平１０−３１５９１９号公報に開示されている。この例では、操作ノブ１０は、予め決められた通常操作範囲ΔＳで回動操作可能に設けられると共に、通常操作範囲ΔＳの両端側にそれぞれ設定された第１の変更ポジションＰ１及び第２の変更ポジションＰ２へも操作可能に設けられている。操作ノブ１０が第１及び第２の変更ポジションへ操作された各状態は、操作ノブ１０に連動するボリュームの抵抗値に基づいて検出されるようにしている。ワイパ制御ＥＣＵは、操作ノブ１０が第１の変更ポジションＰ１へ操作される毎に、予め設定されたインターバル調節範囲の全体を５秒ずつ増大する方向へシフトし、操作ノブ１０が第２の変更ポジションＰ２へ操作されたときに、インターバル調節範囲を初期状態に戻すようにしている。
【０００８】
また、特開平１１−２２７５７０号公報には、ワイパー制御装置が開示されている。これは、ワイパーの動作制御にマイクロコンピュータを用いて、運転者が望む間欠動作周期を自動的に測定し、設定すると共に、車両の走行速度の変化に合わせて周期を増減し、常に適切な周期にて動作させるようにしている。
【０００９】
また、車両用ワイパ制御装置が特許第３０４１３９０号公報で開示されている。これは、まず、ＩＣカードをカード挿入口に挿入し、カードデータ入出力装置において個人識別情報を読み取って運転者を識別し、さらにカードのＲＡＭに記憶された学習プログラムを読み取る。学習プログラムは、所定の車両走行環境の下でワイパが作動するように設定された標準プログラムが記憶されているが、ＩＣカードの持主がワイパスイッチをマニュアル操作することにより、ワイパの作動タイミング及び間欠作動間隔を補正して形成されている。また、マニュアル操作で行われたワイパ作動タイミング、降雨量データ、照度データ及び車速データにそれぞれ対応させて学習プログラムを補正してＩＣカードに入力して記憶させるようにしている。
【００１０】
そして、特表平０１−５０３２２５号公報においては、乗物用ワイパの拭きとり動作間の時間間隔を調整するための回路構成を有するインタバルスイッチおよび方法が開示されている。これは、二つの連続する拭きとり動作の間の間隔時間が観測され、少なくとも「拭きとり動作オフ」および「間隔動作オン」なるスイッチ位置を有するセレクタスイッチおよび二つの連続する拭きとり動作の間の間隔時間を測定する電子制御回路により観測された間隔時間が設定され、少なくとも拭きとり動作の２番目の動作はセレクタスイッチの操作によって任意に始動し、測定された値は蓄積されてセレクタスイッチの新たな操作が行われてもう一つの間隔時間が蓄積されるかワイパの間隔拭きとり動作が遮断されるか制御回路が消勢されるまで間隔時間として用いられる乗物のワイパの拭きとり動作間の間隔時間を制御する方法において、セレクタスイッチは間隔時間の延長のため又は短縮のために「拭きとり動作オフ」のスイッチ位置に移動され、単一の拭きとり動作が同時に始動し、セレクタスイッチは任意の選択された間隔時間の後にスイッチ位置「間隔拭きとり動作オン」に移動されて間隔時間が測定され蓄積されるようにしたことを特徴とする乗物のワイパ拭きとり動作間の間隔時間を制御する方法である。
【先行技術文献】
【特許文献】
【００１１】
【特許文献１】特開２００４−３４５３６９号公報
【特許文献２】特開２００６−３２１３４９号公報
【特許文献３】特開平０６−１９９２０７号公報
【特許文献４】特開平１０−３１５９１９号公報
【特許文献５】特開平１１−２２７５７０号公報
【特許文献６】特許第３０４１３９０号公報
【特許文献７】特表平０１−５０３２２５号公報
【発明の概要】
【発明が解決しようとする課題】
【００１２】
ワイパーの間欠周期は、予め規定された範囲内に制限されている。また、その範囲内においても規定の数段階の中からワイパーの間欠周期は選択され、間欠周期調節スイッチによって状況に応じた最適な間隔に近づけるのは容易ではない。
【００１３】
本発明が解決しようとする課題は、ワイパーの間欠周期を所望の間隔に容易に設定するワイパー間欠動作制御装置を提供することである。
【課題を解決するための手段】
【００１４】
本発明のワイパー間欠動作制御装置は、ワイパーの動作を切り替えるワイパー動作切り替えスイッチと、ワイパー動作切り替えスイッチが間欠動作に切り替えられた際におけるワイパーの間欠動作の間欠周期を格納する記憶部と、記憶部に格納された間欠周期を読み出してワイパー動作切り替えスイッチに基づいてワイパーの動作を制御する制御部とを備え、制御部は、ワイパー動作切り替えスイッチが所定の状態に所定の時間以上維持された際に出力する信号を第１の信号として検出した後に、停止に切り替わったワイパー動作切り替えスイッチの再度の信号を第２の信号として検出し、第２の信号と第１の信号との時間差に応じて間欠周期を記憶部に格納するように構成されている。
【００１５】
本発明のワイパー間欠動作制御方法は、ワイパー動作切り替えスイッチが所定の状態に所定の時間以上維持された際に出力する信号を第１の信号として検出するステップと、第１の信号を検出した後に、停止に切り替わったワイパー動作切り替えスイッチの再度の信号を第２の信号として検出するステップと、第２の信号と第１の信号との時間差を間欠周期として記憶部に格納するステップと、ワイパー動作切り替えスイッチが間欠動作に切り替えられたことを検出するステップと、ワイパーの間欠動作を間欠周期で制御するステップとを備える。
【００１６】
本発明のプログラムは、上述したワイパー間欠動作制御方法をコンピュータに実行させるためのプログラムである。なお、本発明のプログラムは、記憶装置や記憶媒体に格納することが可能である。
【発明の効果】
【００１７】
本発明によれば、ワイパーの間欠周期を所望の間隔に容易に設定するワイパー間欠動作制御装置を提供することが可能となる。
【図面の簡単な説明】
【００１８】
【図１】図１は、ワイパー間欠動作制御装置の構成を示す概略図である。
【図２】図２は、本発明の実施形態におけるワイパー間欠動作制御装置の一例を示す概略図である。
【図３】図３は、本発明の実施形態におけるワイパー動作切り替えスイッチの一例を示す概略図である。
【図４】図４は、本発明の実施形態におけるワイパー間欠周期調節スイッチの一例を示す概略図である。
【図５】図５は、本発明の第１の実施形態におけるワイパー間欠動作制御方法の一例を示す流れ図である。
【図６】図６は、本発明の第２の実施形態におけるワイパー間欠動作制御方法の一例を示す流れ図である。
【発明を実施するための形態】
【００１９】
（第１の実施形態）
以下に、添付図面を参照しながら、本発明の第１の実施形態に係るワイパー間欠動作制御装置を詳細に説明する。
【００２０】
まず、本実施形態に係るワイパー間欠動作制御装置の構成を詳細に説明する。
【００２１】
図２は、本発明の実施形態におけるワイパー間欠動作制御装置の一例を示す概略図である。図２を参照すると、本実施形態に係るワイパー間欠動作制御装置は、ワイパー１と、記憶部２と、制御部３と、音声出力部４と、ワイパー動作切り替えスイッチ５と、ワイパー間欠周期調節スイッチ６とを備えている。
【００２２】
ワイパー１は、車両等の窓ガラスに付着する雨滴等を払拭する機能を有している。ワイパー１は、図示せぬワイパーモータの駆動によって動作するように構成されている。
【００２３】
記憶部２は、間欠周期等のデータを格納する機能を有している。記憶部２には、書き換え可能で不揮発性の記憶装置として例えば、フラッシュメモリ等が用いられる。
【００２４】
制御部３は、記憶部２での間欠周期等のデータの読み書き、ワイパー１の動作の制御等を行うように構成されている。制御部３としては、演算処理、及び制御処理を行うＣＰＵ、データの格納を行う主記憶装置、入力回路、出力回路、及び電源回路等の含まれたマイクロコンピュータが例示される。ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等に例示される図示せぬ主記憶装置には本実施形態の動作を実行するための各種プログラム等が格納されている。なお、これらの各種プログラム等のデータは記憶部２に格納される形態としても良い。ここでは、制御部３が、ワイパーの間欠動作を制御する本実施形態に係る点に絞って説明を行う。
【００２５】
音声出力部４は音声データを音声に変換して出力する機能を有している。音声出力部４には例えばスピーカが用いられる。音声出力部４が設けられることによって、間欠周期設定操作が行われた際に報知音を鳴らして、時間計測の開始、及び終了を作業者に通知することを可能としている。
【００２６】
ワイパー動作切り替えスイッチ５は作業者の操作等によってワイパー１の動作方式を選択可能に切り替える機能を有している。ワイパー動作切り替えスイッチ５は選択された動作方式等の情報を信号として制御部３に出力するように構成されている。
【００２７】
ワイパー間欠周期調節スイッチ６は、ワイパー動作切り替えスイッチ５によって間欠動作方式が選択された際の間欠周期を作業者の操作等によって調節する機能を有している。ワイパー間欠周期調節スイッチ６は、指示された間欠周期等の情報を信号として制御部３に出力するように構成されている。
【００２８】
上述した各部の機能は、制御部３による演算処理、及び制御処理によって実現される。より詳細には、図示せぬ主記憶装置等に格納されているプログラム、記憶部２に格納されているデータ、並びにワイパー動作切り替えスイッチ５からの切り替えの信号、及びワイパー間欠周期調節スイッチ６からの調節の信号を制御部３が読み出してプログラムを実行することによって各部の機能が実現される。
【００２９】
また、図示したワイパー間欠動作制御装置の各部は機能概念的なものであり、各種の負荷や使用状況等に応じて、任意の単位で機能的、又は物理的に分散、又は統合して構成することができる。例えば、記憶部２を制御部３内に有する主記憶装置内に統合すること等ができる。また、特に、制御部３がプログラムを実行することによって実現される機能は、ワイヤードロジックによるハードウェアとして実現され得る。
【００３０】
図３は、本発明の実施形態におけるワイパー動作切り替えスイッチの一例を示す概略図である。図３を参照すると、本実施形態に係るワイパー動作切り替えスイッチ５は５箇所の操作位置にワイパー動作切り替えスイッチ５の状態が切り替えられる構成が例示されている。ワイパー動作切り替えスイッチ５はこれらの操作位置の変更によってワイパー１の動作を切り替えるように機能する。また、５箇所の操作位置とは、ＭＩＳＴ（ミスト）位置７と、ＯＦＦ（停止）位置８と、ＩＮＴ（間欠動作）位置９と、ＬＯ（低速動作）位置１０と、ＨＩ（高速動作）位置１１とである。ここで、ミストとは、ワイパー１が、窓ガラスを一往復払拭する機構である。作業者によってＭＩＳＴ位置７に切り替えられたワイパー動作切り替えスイッチ５はミスト動作の終了とともに自動的にＯＦＦ位置８に戻るように構成されている。また、間欠動作とは、一定の間隔をおいてワイパーが動作する機構である。
【００３１】
また、ワイパー動作切り替えスイッチ５は、ＭＩＳＴ位置７に所定の時間以上維持された、いわゆる長押しされた際の信号も同様に、制御部３に出力するように構成されている。制御部３は、この長押しによる信号を検出する機能を更に有している。なお、ＭＩＳＴ位置７が用意されていない場合には、例えば洗浄液を噴射するウォッシャー機構で代用する形態とする等、本実施形態に限定されることなく適宜の変更が可能である。
【００３２】
図４は、本発明の実施形態におけるワイパー間欠周期調節スイッチの一例を示す概略図である。図４を参照すると、ワイパー間欠周期調節スイッチ６の間欠周期の延長側１２と、間欠周期の短縮側１３とが示されている。ワイパー間欠周期調節スイッチ６が間欠周期の延長側１２に位置することで間欠周期が延長され、間欠周期の短縮側１３に位置することで間欠周期が短縮されるように構成されている。
【００３３】
こうして、ワイパー動作切り替えスイッチ５とワイパー間欠周期調節スイッチ６との２つのスイッチの切り換えに従って制御部３がワイパー１の動作制御を行うように構成されている。
【００３４】
次に、本実施形態に係るワイパー間欠動作制御装置の動作を詳細に説明する。
【００３５】
図５は、本発明の第１の実施形態におけるワイパー間欠動作制御方法の一例を示す流れ図である。図５を参照して、本実施形態に係る間欠周期制御の手順を説明する。
【００３６】
まず、ワイパー動作切り換えスイッチ５がＭＩＳＴ位置７に長押しされた際に出力する信号を第１の信号として制御部３が検出する（ステップＳ１０１）。長押しの時間は、意図的に操作が行われたことが偶発的な操作から区別できれば良く、例えば１秒以上等のように適宜設計される。なお、作業者によってＭＩＳＴ位置７に長押しされたワイパー動作切り替えスイッチ５はミスト動作の終了とともに自動的にＯＦＦ位置８に戻る。
【００３７】
第１の信号を契機に制御部３が、時間計測を開始する。制御部３は記憶部２に、計測開始時間Ｔ１を格納すると共に、音声出力部４からの第１の報知音の出力としてブザー音を１度鳴らして時間計測の開始を作業者に通知する（ステップＳ１０２）。時間計測開始後の制御部３は、ワイパー動作切り換えスイッチ５の切り換えの信号を検出するまで時間計測を続行する。なお、ブザー音を１度鳴らすのは一例であって、例えば「間欠周期の時間計測を開始しました」と音声を発する等、本実施形態に限定されることなく適宜の変更が可能である。
【００３８】
作業者によるワイパー動作切り換えスイッチ５の切り換えが行われるとワイパー動作切り換えスイッチ５は切り換えの信号を出力する（ステップＳ１０３）。
【００３９】
制御部３は、検出したワイパー動作切り換えスイッチ５から出力された信号がＭＩＳＴ位置７に長押しされた再度の信号である第２の信号であるかどうかを判定する（ステップＳ１０４）。
【００４０】
もし切り換えの信号が、ＭＩＳＴ位置７への長押し以外の変更であった場合（ステップＳ１０４；ＮＯ）には、Ｔ１のリセットが行われる（ステップＳ１０５）。言い換えると、制御部３は、記憶部２に格納されたＴ１を消去する。
【００４１】
そして、制御部３は、動作切り換えスイッチ５の変更後の位置に従ったワイパー１の動作が行われるように制御して間欠周期制御を終了する（ステップＳ１０６）。
【００４２】
一方で、信号が、ＭＩＳＴ位置７に長押しされた第２の信号であった場合（ステップＳ１０４；ＹＥＳ）には、第２の信号を契機に制御部３は記憶部２に、時間計測終了時間Ｔ２を格納する（ステップＳ１０７）。
【００４３】
Ｔ２の記憶部２への格納後に制御部３は、｜Ｔ２−Ｔ１｜で求められる時間差に応じて間欠周期Ｔ０を記憶部２に格納すると共に、音声出力部４からの第２の報知音の出力としてブザー音を２度鳴らして間欠周期Ｔ０を記憶したことを作業者に通知する（ステップＳ１０８）。より詳細にはまず、制御部３は、Ｔ１、及びＴ２を記憶部２から読み出す。次に、制御部３は、Ｔ２とＴ１との時間差を算出する。そして、制御部３は、音声出力部からブザー音を２度鳴らして間欠周期であるＴ０の設定が完了したことを作業者に通知する。なお、ここでも、ブザー音を２度鳴らすのは一例であって、例えば「間欠周期の設定を完了しました」や「間欠周期を１０秒に設定しました」と音声を発する等、本実施形態に限定されることなく適宜の変更が可能である。
【００４４】
その後、記憶部２に間欠周期Ｔ０が格納された状態で、ワイパー動作切り換えスイッチ５の切り替えが行われた場合に制御部３は、検出したワイパー動作切り換えスイッチ５から出力された信号がＩＮＴ位置９への変更であるかどうかを判定する（ステップＳ１０９）
【００４５】
もし切り替えの信号が、ＩＮＴ位置９以外への変更であった場合（ステップＳ１０９；ＮＯ）には、動作切り換えスイッチ５の位置に従った動作が行われるように制御部３はワイパー１の制御を行う（ステップＳ１１０）。
【００４６】
一方で、切り替えの信号が、ＩＮＴ位置９への変更であった場合（ステップＳ１０９；ＹＥＳ）には、制御部３は、Ｔ０を間欠周期とした間欠動作を行うようにワイパー１の制御を行う（ステップＳ１１１）。なお、ステップＳ１１０の後にＩＮＴ位置９への変更が行われた場合（ステップＳ１０９）にもステップＳ１１１が行われる。ここまでの手順によって本実施形態の当初の目的は達せられる。
【００４７】
この記憶部２に格納された間欠周期は間欠周期調節スイッチ６の変更によって消去することができる。その動作はまず、間欠周期が記憶部２に格納されている状態において制御部３は、間欠周期調節スイッチ６の変更の信号が検出されたかどうかを判定する（ステップＳ１１２）。
【００４８】
Ｔ０は、間欠周期調節スイッチ６の変更が検出されない場合（ステップＳ１１２；ＮＯ）には記憶部２に保持される（ステップＳ１１３）。そして、ワイパー動作切り替えスイッチ５のＩＮＴ位置９への変更時に記憶部２にＴ０が記憶されている場合には優先的にＴ０を間欠周期とした間欠動作を行うようにワイパー１の制御が行われる。
【００４９】
一方で、間欠周期調節スイッチ６の変更が検出された場合（ステップＳ１１２；ＹＥＳ）にはＴ０はリセットされる（ステップＳ１１４）。すなわち、記憶部２からＴ０が消去される。そして、その後には、間欠周期調節スイッチ６の調整位置に従った間欠動作を行うようにワイパー１の制御が行われる。
【００５０】
以上に、本実施形態によるワイパー間欠動作制御装置、及びワイパー間欠動作制御方法の説明を行った。
【００５１】
本実施形態では、規定範囲内で、かつ規定の数段階の中から選択する間欠周期調節スイッチが用いられずにワイパーの間欠周期が設定自在とされた構成によって、ワイパーの間欠周期が所望の間隔に制限なく設定可能となる効果を有している。
【００５２】
また、本実施形態では、２回のワイパー作動操作の時間差に応じてワイパーの間欠周期が設定される構成によって、作業者がその状況に応じて最適と感じる間隔、言い換えると作業者が直感的に払拭が必要と感じた間隔でのワイパー間欠動作が設定可能となる効果を有している。
【００５３】
また、本実施形態では、ワイパー動作切り替えスイッチの意識的な長押しによるワイパー作動操作でワイパーの間欠周期が設定される構成によって、ワイパー間欠動作が容易に設定可能であり、また誤って設定される可能性を排除する効果を有している。更に、設定時に音声の出力される構成によって、操作が間違えられたり、表示の確認のために前方から視線が外されたりすることなく、直感的にわかりやすい設定を実現する効果を有する。
【００５４】
そして、本実施形態では、新たな部品の設置場所の確保や、設置場所周辺の外観を損なうこと、及び費用が余計にかかることがなく、また適用範囲の広い装置を提供することが可能となる効果を有している。
【００５５】
（第２の実施形態）
以下に、添付図面を参照しながら、本発明の第２の実施形態に係るワイパー間欠動作制御装置を詳細に説明する。
【００５６】
まず、本実施形態に係るワイパー間欠動作制御装置の構成を詳細に説明する。
【００５７】
本実施形態に係るワイパー間欠動作制御装置は、第１の実施形態と略同様である。ただし、ワイパー間欠周期調節スイッチ６が、間欠周期の秒数を直接設定するものから、基準値からの増減を相対的に調節するスイッチに変更されている。これによって、本実施形態によって設定された間欠周期の初期値からの微調整が可能な構成となっている。
【００５８】
次に、本実施形態に係るワイパー間欠動作制御装置の動作を詳細に説明する。
【００５９】
図６は、本発明の第２の実施形態におけるワイパー間欠動作制御方法の一例を示す流れ図である。図６を参照すると、本実施形態の動作は、第１の実施形態のステップＳ１０１からステップＳ１１３まで同一である。すなわち、本実施形態は、作業者の所望の間欠周期Ｔ０での間欠動作を行うようにワイパー１の制御が制御部３によって行われている状態までの動作が第１の実施形態と同一である。よって、ここでは、ステップＳ１１２からの手順を中心に説明する。
【００６０】
まず、間欠周期が記憶部２に格納されている状態において制御部３は、間欠周期調節スイッチ６の変更の信号が検出されたかどうかを判定する（ステップＳ１１２）。
【００６１】
間欠周期Ｔ０は、間欠周期調節スイッチ６の変更が検出されない場合（ステップＳ１１２；ＮＯ）には記憶部２に保持される（ステップＳ１１３）。
【００６２】
一方で、間欠周期調節スイッチ６の変更が検出された場合（ステップＳ１１２；ＹＥＳ）には制御部３は、そのワイパー間欠周期の変更が延長側かどうかを判定する（ステップＳ１１５）。
【００６３】
ワイパー間欠周期の変更が延長側でなかった場合（ステップＳ１１５；ＮＯ）には制御部３は記憶部２に、短縮されたワイパー間欠周期Ｔ３を格納すると共に、音声出力部４からの第３の報知音の出力としてブザー音を高音で鳴らして間欠周期の短縮を作業者に通知する（ステップＳ１１６）。すなわち、間欠周期調節スイッチ６が間欠周期の短縮側１３に操作されると変更前のＴ０からＴ３へと間欠周期が短縮される。短縮の割合については間欠周期調節スイッチ６の操作量、及びその短縮側１３に維持された時間等に応じて適宜調節されるように設計される。なお、ブザー音を高音で鳴らすのは一例であって、例えば「間欠周期を２秒短縮して８秒に設定しました」と音声を発する等、本実施形態に限定されることなく適宜の変更が可能である。
【００６４】
ワイパー間欠周期の変更が延長側であった場合（ステップＳ１１５；ＹＥＳ）には制御部３は記憶部２に、延長されたワイパー間欠周期Ｔ４を格納すると共に、音声出力部４からの第４の報知音の出力としてブザー音を低音で鳴らして間欠周期の延長を作業者に通知する（ステップＳ１１７）。すなわち、間欠周期調節スイッチ６が間欠周期の延長側１２に操作されると変更前のＴ０からＴ４へと間欠周期が延長される。延長の割合についても間欠周期調節スイッチ６の操作量、及びその延長側１２に維持された時間等に応じて適宜調節されるように設計される。なお、ブザー音を低音で鳴らすのは一例であって、例えば「間欠周期を２秒延長して１２秒に設定しました」と音声を発する等、本実施形態に限定されることなく適宜の変更が可能である。
【００６５】
なお、本実施形態においては、変更前のＴ０と、変更後のＴ３又はＴ４とを共に記憶部２に格納している。このため、ワイパー間欠周期の更なる変更の際には、Ｔ０、又はＴ３若しくはＴ４のどちらを基準とするかを適宜選択することができる。しかし、Ｔ０、又はＴ３若しくはＴ４のどちらかを消去する（Ｔ３若しくはＴ４で上書きする、又はＴ３若しくはＴ４を格納しない）形態としても良い。
【００６６】
以上に、本実施形態によるワイパー間欠動作制御装置、及びワイパー間欠動作制御方法の説明を行った。
【００６７】
本実施形態では、第１の実施形態と同様の効果を有している。加えて、本実施形態では間欠周期の調整を効果的に行う装置を提供することができる。
【００６８】
以上に説明した実施形態によれば、ワイパー動作切り替えスイッチによるワイパー作動操作によってワイパーの間欠周期を所望の間隔に設定するワイパー間欠動作制御装置を提供することが可能となる。
【００６９】
以上、本発明の実施形態を説明した。しかし、本発明は上記実施形態に限定されるものではなく、本発明の要旨を逸脱しない範囲内で種々変形して実施することができる。
【００７０】
上記の実施形態の一部又は全部は、以下の付記のようにも記載されうるが、以下には限られない。
【００７１】
（付記１）ワイパーの動作を切り替えるワイパー動作切り替えスイッチと、
前記ワイパー動作切り替えスイッチが間欠動作に切り替えられた際における前記ワイパーの間欠動作の間欠周期を格納する記憶部と、
前記記憶部に格納された前記間欠周期を読み出して前記ワイパー動作切り替えスイッチに基づいて前記ワイパーの動作を制御する制御部と
を備え、
前記制御部は、
前記ワイパー動作切り替えスイッチが所定の状態に所定の時間以上維持された際に出力する信号を第１の信号として検出した後に、停止に切り替わった前記ワイパー動作切り替えスイッチの再度の前記信号を第２の信号として検出し、前記第２の信号と前記第１の信号との時間差に応じて前記間欠周期を前記記憶部に格納するように構成されている
ワイパー間欠動作制御装置。
【００７２】
（付記２）付記１に記載のワイパー間欠動作制御装置であって、
更に、音声出力部
を備え、
前記音声出力部は、
前記第１の信号を契機に第１の報知音を鳴らし、前記第２の信号を契機に第２の報知音を鳴らすように構成されている
ワイパー間欠動作制御装置。
【００７３】
（付記３）付記１、又は２に記載のワイパー間欠動作制御装置であって、
更に、前記ワイパーの前記間欠周期を調節するワイパー間欠周期調節スイッチ
を備え、
前記ワイパー間欠周期調節スイッチによって前記ワイパーの前記間欠周期が調節された際には前記間欠周期が前記記憶部から消去されて、前記ワイパー間欠周期調節スイッチの調節位置に従って前記ワイパーの前記間欠動作が制御されるように構成されている
ワイパー間欠動作制御装置。
【００７４】
（付記４）付記１に記載のワイパー間欠動作制御装置であって、
更に、前記ワイパーの前記間欠周期を調節するワイパー間欠周期調節スイッチ
を備え、
前記ワイパー間欠周期調節スイッチによって前記ワイパーの前記間欠周期が調節された際には、前記ワイパー間欠周期調節スイッチの調節位置に従って前記記憶部に格納された前記間欠周期からの延長、又は短縮のなされた新たな間欠周期によって前記ワイパーの前記間欠動作が制御されるように構成されている
ワイパー間欠動作制御装置。
【００７５】
（付記５）付記４に記載のワイパー間欠動作制御装置であって、
更に、音声出力部
を備え、
前記音声出力部は、
前記第１の信号を契機に第１の報知音を鳴らし、前記第２の信号を契機に第２の報知音を鳴らし、前記延長の際に第３の報知音を鳴らし、前記短縮の際に第４の報知音を鳴らすように構成されている
ワイパー間欠動作制御装置。
【００７６】
（付記６）付記１乃至５のいずれか１項に記載のワイパー間欠動作制御装置であって、
前記所定の状態は、
ミスト機構の位置に切り替えられた状態である
ワイパー間欠動作制御装置。
【００７７】
（付記７）ワイパー動作切り替えスイッチが所定の状態に所定の時間以上維持された際に出力する信号を第１の信号として検出するステップと、
前記第１の信号を検出した後に、前記停止に切り替わった前記ワイパー動作切り替えスイッチの再度の前記信号を第２の信号として検出するステップと、
前記第２の信号と前記第１の信号との時間差を間欠周期として記憶部に格納するステップと、
前記ワイパー動作切り替えスイッチが間欠動作に切り替えられたことを検出するステップと、
ワイパーの前記間欠動作を前記間欠周期で制御するステップと
を備える
ワイパー間欠動作制御方法。
【００７８】
（付記８）付記７に記載のワイパー間欠動作制御方法であって、
前記第１の信号を契機に時間計測を開始するステップと、
前記時間計測の開始時間を前記記憶部に格納するステップと、
前記第２の信号を契機に前記時間計測を終了するステップと、
前記時間計測の終了時間を前記記憶部に格納するステップと
を更に備える
ワイパー間欠動作制御方法。
【００７９】
（付記９）
付記７、又は８に記載のワイパー間欠動作制御方法であって、
前記第１の信号を契機に音声出力部から第１の報知音を鳴らすステップと、
前記第２の信号を契機に前記音声出力部から第２の報知音を鳴らすステップと
を更に備える
ワイパー間欠動作制御方法。
【００８０】
（付記１０）付記７乃至９のいずれか１項に記載のワイパー間欠動作制御方法であって、
前記第１の信号を検出した後に、前記停止に切り替わった前記ワイパー動作切り替えスイッチの再度の前記信号以外への切り替えを検出するステップと、
前記切り替えを検出した際に、前記時間計測を終了するステップと、
前記切り替えを検出した際に、前記記憶部に格納された前記開始時間を消去するステップと、
検出した前記切り替えに従って前記ワイパーの動作を制御するステップと
を更に備える
ワイパー間欠動作制御方法。
【００８１】
（付記１１）付記７乃至９のいずれか１項に記載のワイパー間欠動作制御方法であって、
更に、ワイパー間欠周期調節スイッチによる前記ワイパーの前記間欠周期の調節を検出するステップ
を備え、
前記ワイパー間欠周期調節スイッチによる調節が検出されない限り前記ワイパーの前記間欠動作を前記間欠周期で制御するステップ
を備える
ワイパー間欠動作制御方法。
【００８２】
（付記１２）付記１１に記載のワイパー間欠動作制御方法であって、
前記ワイパー間欠周期調節スイッチによる調節が検出された際に、前記間欠周期を前記記憶部から消去するステップと、
検出された前記ワイパー間欠周期調節スイッチの調節位置に従って前記ワイパーの前記間欠動作を制御するステップと
を更に備える
ワイパー間欠動作制御方法。
【００８３】
（付記１３）付記１１に記載のワイパー間欠動作制御方法であって、
前記ワイパー間欠周期調節スイッチによる調節が検出された際に、前記ワイパー間欠周期調節スイッチの調節位置に従って前記記憶部に格納された前記間欠周期からの延長、又は短縮のなされた新たな間欠周期によって前記ワイパーの前記間欠動作を制御するステップ
を更に備える
ワイパー間欠動作制御方法。
【００８４】
（付記１４）付記１３に記載のワイパー間欠動作制御方法であって、
前記延長の際に音声出力部から第３の報知音を鳴らすステップと、
前記短縮の際に前記音声出力部から第４の報知音を鳴らすステップと
を更に備える
ワイパー間欠動作制御方法。
【００８５】
（付記１５）付記７乃至１４のいずれか１項に記載のワイパー間欠動作制御方法であって、
前記ワイパー動作切り替えスイッチの前記間欠動作以外への切り替えを検出するステップと、
検出された前記切り替えに従って前記ワイパーの動作を制御するステップと
を更に備える
ワイパー間欠動作制御方法。
【００８６】
（付記１６）付記７乃至１５のいずれか１項に記載のワイパー間欠動作制御方法であって、
前記所定の状態は、
ミスト機構の位置に切り替えられた状態である
ワイパー間欠動作制御方法。
【００８７】
（付記１７）付記７乃至１６のいずれか１項に記載の方法をコンピュータに実行させるためのプログラム。
【００８８】
（付記１８）付記１７に記載のプログラムを格納する記憶媒体。
【符号の説明】
【００８９】
１  ワイパー
２  記憶部
３  制御部
４  音声出力部
５  ワイパー動作切り替えスイッチ
６  ワイパー間欠周期調節スイッチ
７  ＭＩＳＴ（ミスト）位置
８  ＯＦＦ（停止）位置
９  ＩＮＴ（間欠動作）位置
１０  ＬＯ（低速動作）位置
１１  ＨＩ（高速動作）位置
１２  間欠周期の延長側
１３  間欠周期の短縮側
Ｔ０  間欠周期
Ｔ１  計測開始時間
Ｔ２  計測終了時間
Ｔ３  短縮されたワイパー間欠周期
Ｔ４  延長されたワイパー間欠周期
【図１】
2012106659.tif 000003
【図２】
2012106659.tif 000004
【図３】
2012106659.tif 000005
【図４】
2012106659.tif 000006
【図５】
2012106659.tif 000007
【図６】
2012106659.tif 000008